(57)【要約】      （修正有）【課題】絵柄を交換できる額縁式空気清浄機を提供する。【解決手段】清浄機筐体１０と額縁状枠体２０と絵柄用板３０とを含む絵柄２〜４を交換できる額縁式空気清浄機であって、清浄機筐体１０は、対向する後板１１と前板１５とを含み、後板１１上に壁面固定部材が設けられ、前板１５上に第１ワンタッチ着脱部材１６が設けられる。額縁状枠体２０は、中央貫通穴部２１を含み、また第２ワンタッチ着脱部材２２が設けられる。絵柄用板３０は、裏板と裏板上に設けられる絵柄３とを含み、かつ裏板に第３ワンタッチ着脱部材３２が設けられる。清浄機筐体１０は、第１ワンタッチ着脱部材１６で額縁状枠体２０の第２ワンタッチ着脱部材２２に対応して構設でき、又は絵柄用板３０の第３ワンタッチ着脱部材３２に対応して構設できる。【選択図】図２
0003216856.tif 000002
【実用新案登録請求の範囲】
【請求項１】
対向する後板と前板とを含み、前記後板上に壁面固定部材が設けられ、前記前板上に第１ワンタッチ着脱部材が設けられる清浄機筐体と、
中央貫通穴部を含み、第２ワンタッチ着脱部材が設けられる額縁状枠体と、
裏板と前記裏板上に設けられる絵柄とを含み、かつ前記裏板に第３ワンタッチ着脱部材が設けられる絵柄用板と、
を含む絵柄を交換できる額縁式空気清浄機において、
前記清浄機筐体は、前記第１ワンタッチ着脱部材で、前記額縁状枠体の前記第２ワンタッチ着脱部材又は前記絵柄用板の前記第３ワンタッチ着脱部材を選択的に対応して構設できることを特徴とする、
絵柄を交換できる額縁式空気清浄機。
【請求項２】
更に外枠体を包括し、
前記外枠体は、開口部を含み、
前記開口部は、前記額縁状枠体の前記中央貫通穴部より小さく、
前記外枠体には、第４ワンタッチ着脱部材が設けられ、
前記清浄機筐体は、前記第１ワンタッチ着脱部材により第４ワンタッチ着脱部材に選択的に構設することができることを特徴とする、
請求項１に記載の絵柄を交換できる額縁式空気清浄機。
【請求項３】
前記第１ワンタッチ着脱部材は、係合溝、磁性部材、引掛け孔又は上凸縁であることを特徴とする、
請求項１に記載の絵柄を交換できる額縁式空気清浄機。
【請求項４】
対向する後板と前板とを含み、前記後板上に壁面固定部材が設けられ、前記前板上に第１ワンタッチ着脱部材が設けられる清浄機筐体と、
中央貫通穴部を含み、第２ワンタッチ着脱部材が設けられる額縁状枠体と、
を含む絵柄を交換できる額縁式空気清浄機において、
前記清浄機筐体は、前記第１ワンタッチ着脱部材で、前記額縁状枠体の前記第２ワンタッチ着脱部材に対応して構設できることを特徴とする、
絵柄を交換できる額縁式空気清浄機。
【請求項５】
更に外枠体を包括し、
前記外枠体は、開口部を含み、
前記開口部は、前記額縁状枠体の前記中央貫通穴部より小さく、
前記外枠体には、第３ワンタッチ着脱部材が設けられ、
前記清浄機筐体は、前記第１ワンタッチ着脱部材により前記第３ワンタッチ着脱部材に選択的に構設することができることを特徴とする、
請求項４に記載の絵柄を交換できる額縁式空気清浄機。
【請求項６】
前記第１ワンタッチ着脱部材は、係合溝、磁性体又は引掛け孔であることを特徴とする、
請求項４に記載の絵柄を交換できる額縁式空気清浄機。
【請求項７】
前記第１ワンタッチ着脱部材は、前記前板頂部に位置する上凸縁であり、
前記第２ワンタッチ着脱部材は、掛止部材であり、
前記額縁状枠体は、頂部枠を包括し、
前記掛止部材は、前記頂部枠上に設けられると共に、前記上凸縁に掛けることができることを特徴とする、
請求項４に記載の絵柄を交換できる額縁式空気清浄機。
【請求項８】
前記掛止部材は、上壁とフック部とを含み、
前記上壁は、前記額縁状枠体の頂部枠から延伸され、かつ前記頂部枠に対向する組立側を包括し、
前記フック部は、組立側に位置することを特徴とする、
請求項７に記載の絵柄を交換できる額縁式空気清浄機。
【請求項９】
前記フック部は、弾性フック部であることを特徴とする、
請求項８に記載の絵柄を交換できる額縁式空気清浄機。
【請求項１０】
前記清浄機筐体の脇に表示灯が設けられ、
前記額縁状枠体は、サイド枠を包括し、前記サイド枠から側壁を延伸し、
前記側壁には、前記表示灯に対応する透光部が設けられることを特徴とする、
請求項４に記載の絵柄を交換できる額縁式空気清浄機。
【請求項１１】
前記清浄機筐体は、外周板を包括し、
前記外周板は、前記前板と前記後板の間に連結され、前記外周板又は前記前板に挿通口が開設され、
前記清浄機筐体内部には、フィルタ収容室が設けられ、
前記挿通口は、前記フィルタ収容室に連通することを特徴とする、
請求項４に記載の絵柄を交換できる額縁式空気清浄機。
【請求項１２】
対向する後板と前板とを含み、前記後板上に壁面固定部材が設けられ、前記前板上に第１ワンタッチ着脱部材が設けられる清浄機筐体と、
裏板と前記裏板上に設けられる絵柄とを含み、かつ前記裏板に第２ワンタッチ着脱部材が設けられる絵柄用板と、
を含む絵柄を交換できる額縁式空気清浄機において、
前記清浄機筐体は、前記第１ワンタッチ着脱部材で前記絵柄用板の前記第２ワンタッチ着脱部材に対応して構設できることを特徴とする、
絵柄を交換できる額縁式空気清浄機。
【請求項１３】
前記第１ワンタッチ着脱部材は、係合溝、磁性体、引掛け孔又は上凸縁であることを特徴とする、
請求項１２に記載の絵柄を交換できる額縁式空気清浄機。  
【考案の詳細な説明】
【技術分野】
【０００１】
本考案は、空気清浄機に関し、特に絵柄を交換できる額縁式空気清浄機に関する。
【背景技術】
【０００２】
工業の発展及び車両の絶え間なく増加により、生活環境の空気質が急速に悪化し、大気中の有害浮遊粒子状物質が大幅に増加していた。浮遊粒子状物質は、呼吸器系に影響を及ぼし、並びに微小浮遊粒子状物質が大気中に長く滞留し、呼吸により人体に取り込まれて気管又は肺内に沈着し、人体や血管系への影響が大きいため、アレルギー、喘息、肺がん、心血管疾患、 先天異常及び夭折に至り、人々の健康被害を起こしてきた。
【０００３】
これにより、多くの人々は、家庭内又はオフィスにおいて空気清浄機で空気を浄化することで、大気中の汚染物質による人体被害を軽減する。しかしながら、現在よく見られる空気清浄機の多くは、床置型であるため、床に置かれることにより、過多の屋内空間を取り、かつ屋内動線に影響を及ぼしている。
【０００４】
上記問題点に鑑み、現在壁面上に固定されることができる清浄機があるが、単に清浄機を壁上に固定すると、容易に違和感が生じることで、屋内環境の全体的な美観に影響を及ぼす。
【考案の概要】
【考案が解決しようとする課題】
【０００５】
これに鑑み、一実施例において、清浄機筐体と額縁状枠体と絵柄用板とを含む絵柄を交換できる額縁式空気清浄機を提供する。清浄機筐体は、対向する後板と前板とを含み、後板上に壁面固定部材が設けられ、前板上に第１ワンタッチ着脱部材が設けられる。額縁状枠体は、中央貫通穴部を含み、また第２ワンタッチ着脱部材が設けられる。絵柄用板は、裏板と裏板上に設けられる絵柄とを含み、かつ裏板に第３ワンタッチ着脱部材が設けられる。清浄機筐体は、第１ワンタッチ着脱部材で額縁状枠体の第２ワンタッチ着脱部材に対応して構設でき、又は絵柄用板の第３ワンタッチ着脱部材に対応して構設できる。
【課題を解決するための手段】
【０００６】
一実施例において、絵柄を交換できる額縁式空気清浄機は、清浄機筐体と額縁状枠体とを含む。清浄機筐体は、対向する後板と前板とを含み、後板上に壁面固定部材が設けられ、前板上に第１ワンタッチ着脱部材が設けられる。額縁状枠体は、中央貫通穴部を含み、また第２ワンタッチ着脱部材が設けられる。清浄機筐体は、第１ワンタッチ着脱部材で額縁状枠体の第２ワンタッチ着脱部材に対応して構設できる。
【０００７】
一実施例において、絵柄を交換できる額縁式空気清浄機は、清浄機筐体と絵柄用板とを含む。清浄機筐体は、対向する後板と前板とを含み、後板上に壁面固定部材が設けられ、前板上に第１ワンタッチ着脱部材が設けられる。絵柄用板は、裏板と裏板上に設けられる絵柄とを含み、かつ裏板に第２ワンタッチ着脱部材が設けられる。清浄機筐体は、第１ワンタッチ着脱部材で絵柄用板の第２ワンタッチ着脱部材に対応して構設できる。
【考案の効果】
【０００８】
上記を総合すると、本考案の実施例の額縁式空気清浄機は、使用上において、清浄機筐体が壁面固定部材を通じて壁上に掛けることで、屋内空間を取り又は動線を支障することを避けることができ、またワンタッチ着脱部材を通じて額縁状枠体又は絵柄用板を構設して絵柄（例えば絵画、画像、写真、鏡又は手書きボード）を掛けることで、使用者の必要性によって異なる機能を自由に変更でき、かつ屋内環境の美観性に影響を及ぼさない等の利点を実現できる。また清浄機筐体と各々額縁状枠体及び絵柄用板との間に対応のワンタッチ着脱部材が設けられ、額縁式空気清浄機は簡単に異なる額縁状枠体又は絵柄用板を交換させることで、異なる絵柄又は外観スタイルを変換できる。
【図面の簡単な説明】
【０００９】
【図１】本考案の一実施例に係る額縁式空気清浄機が壁に掛られた場合を示す模式図である。
【図２】本考案の実施例１に係る額縁式空気清浄機の分解立体図である。
【図３】本考案に係る清浄機筐体を額縁状枠体に構設する場合の分解立体図である。
【図４】本考案の一実施例に係るワンタッチ着脱部材の分解立体図である。
【図５】本考案の別の実施例に係るワンタッチ着脱部材の分解立体図である。
【図６】本考案の更なる実施例に係るワンタッチ着脱部材の分解立体図である。
【図７】本考案に係る清浄機筐体を絵柄用板に構設する場合の分解立体図である。
【図８】本考案に係る清浄機筐体を外枠体に構設する場合の分解立体図である。
【図９】本考案の実施例２に係る額縁式空気清浄機の分解立体図である。
【図１０】本考案の実施例３に係る額縁式空気清浄機の分解立体図である。
【図１１】本考案の一実施例に係る清浄機筐体の分解立体図である。
【図１２】本考案の別の実施例に係る清浄機筐体の分解立体図である。
【図１３】本考案の実施例４に係る額縁式空気清浄機の立体図である。
【図１４】本考案の実施例５に係る額縁式空気清浄機の分解立体図である。
【図１５】本考案の実施例５に係る額縁式空気清浄機の部分断面図である。
【図１６】本考案の実施例６に係る額縁式空気清浄機の部分断面図である。
【図１７】本考案の実施例７に係る額縁式空気清浄機の部分断面図である。
【考案を実施するための形態】
【００１０】
図１を参照すると、本考案の一実施例に係る額縁式空気清浄機が壁に掛られた場合を示す模式図である。額縁式空気清浄機１は、壁面上に掛けさせることで、屋内環境空気をろ過すると共に絵柄（絵画、画像、写真、鏡又は手書きボード等）を掛けることができる。
【００１１】
図２を参照すると、本考案の実施例１に係る額縁式空気清浄機の分解立体図である。本実施例において、額縁式空気清浄機１は、清浄機筐体１０と額縁状枠体２０と絵柄用板３０と外枠体５０とを含む。
【００１２】
一実施例において、清浄機筐体１０は、長方形、方形、円形、楕円形又はその他の形状の中空ケーシングとすることができる。図２に示すように、本実施例において、清浄機筐体１０は長方形の中空ケーシングであって後板１１と外周板１３と前板１５とを含み、外周板１３が前板１５と後板１１との周縁間に連結される。後板１１に壁面固定部材１２（図１）が設けられることができ、例えば壁面固定部材１２はフック、引掛け孔又はねじ穴とし、清浄機筐体１０が壁面固定部材１２を通じて壁面上に掛けて固定させることができ、前板１５が後板１１に対向する板体であり、かつ前板１５の表面上に少なくとも１個のワンタッチ着脱部材１６（ここで、複数のワンタッチ着脱部材１６とする）が設けられる。幾つかの実施例において、ワンタッチ着脱部材１６は、係合溝、磁性部材又は引掛け孔とすることができる。
【００１３】
更に図２に示すように、清浄機筐体１０は、そのワンタッチ着脱部材１６により額縁状枠体２０、絵柄用板３０及び外枠体５０のうちのいずれかを選択して構設することができる。例を挙げると、額縁状枠体２０、絵柄用板３０及び外枠体５０に清浄機筐体１０のワンタッチ着脱部材１６とマッチするワンタッチ着脱部材が各々設けられ、例えば清浄機筐体１０のワンタッチ着脱部材１６は係合溝の場合、額縁状枠体２０、絵柄用板３０及び外枠体５０のワンタッチ着脱部材が対応の係止具とすることができる。清浄機筐体１０のワンタッチ着脱部材１６は、引掛け孔の場合、額縁状枠体２０、絵柄用板３０及び外枠体５０のワンタッチ着脱部材が対応のフックとすることができる。以下、図面を参照しながら詳細に説明する。
【００１４】
図２及び図３を参照すると、図３は、本考案に係る清浄機筐体を額縁状枠体に構設する場合の分解立体図であり、額縁状枠体２０が清浄機筐体１０形状に対応する枠体とすることができる。図３に示すように、額縁状枠体２０は、長方形枠であって中央貫通穴部２１を有し、かつ清浄機筐体１０のワンタッチ着脱部材１６とマッチするため、額縁状枠体２０に少なくとも１個のワンタッチ着脱部材２２が設けられる。例を挙げると、清浄機筐体１０のワンタッチ着脱部材１６は、係合溝の場合、額縁状枠体２０のワンタッチ着脱部材が対応の係止具とする。これを介して清浄機筐体１０は、そのワンタッチ着脱部材１６により額縁状枠体２０のワンタッチ着脱部材２２に対応して構設置することで、額縁状枠体２０を前板１５上に固定させ、また簡単に清浄機筐体１０から取り外すことができる。
【００１５】
次に図３に示すように、本実施例において、使用者は絵柄２を清浄機筐体１０の前板１５上に固定（例えば接着、貼り付け又は挿嵌）させてから額縁状枠体２０をそのワンタッチ着脱部材２２で前板１５上に固定させることで、絵柄２の縁枠とすると共に中央貫通穴部２１から絵柄２（図１）を鑑賞できる。又は、額縁状枠体２０は前板１５に固定された後、絵柄２の縁枠に対応するよう押し当てることで、絵柄２を前板１５上に固定させることができる。これを介して使用者が後日簡単に額縁状枠体２０を前板１５から取り外して異なる絵柄２又はスタイルの異なる他の額縁状枠体２０に交換できる。また、本実施例の絵柄２は、絵画を例とし、使用者に鑑賞及び屋内空間の装飾り用として供されるが、これに限定されない。絵柄２も使用者に整容用として供するため、鏡とすることができる。又は絵柄２も使用者に情報を記録するために供するため、手書きボード（ホワイトボード、黒板又は電子手書きボード等）とすることができる。
【００１６】
更に額縁状枠体２０を例にすると、そのワンタッチ着脱部材２２と清浄機筐体１０のワンタッチ着脱部材１６とは以下の様々なマッチ方式が可能である。図３及び図４を参照すると、図４は、本考案の一実施例に係るワンタッチ着脱部材の分解立体図である。本実施例において、清浄機筐体１０の前板１５に複数のワンタッチ着脱部材１６が設けられ、各ワンタッチ着脱部材１６は係合溝１６１で、かつ前板１５の周囲に分布されている。前板１５上の各ワンタッチ着脱部材１６に対応するため、額縁状枠体２０にも複数のワンタッチ着脱部材２２が設けられる。図４に示すように、各ワンタッチ着脱部材２２が係止具とすることができ、ここでワンタッチ着脱部材２２は、凸起２２１と凸起２２１末端に位置する球状頭部２２２とを含み、球状頭部２２２が係合溝１６１よりやや大きく、額縁状枠体２０が球状頭部２２２で係合溝１６１内に対応して係合させて前板１５上に固定されることができる。一実施例において、清浄機筐体１０の前板１５上にあるそれらワンタッチ着脱部材１６は、好ましくは前板１５の中心点に対称的に設けられ、額縁状枠体２０を前板１５に組み立てた後より一層安定させることができる。
【００１７】
図５は、本考案の別の実施例に係るワンタッチ着脱部材の分解立体図である。図５に示すように、本実施例において、清浄機筐体１０の前板１５に設けられる各ワンタッチ着脱部材１６も引掛け孔１６２とすることができ、例えば図５に示すような上部が大きく、下部が小さい長穴であり、額縁状枠体２０の各ワンタッチ着脱部材２２がそれに対応してフックとし、例えば図５に示すワンタッチ着脱部材２２のフックは突起部２２３と突起部２２３末端に連なる掛止部２２４とを含み、掛止部２２４が引掛け孔１６２内に挿入されることができ、かつ掛止部２２４の幅が突起部２２３の幅より広い。これを介して額縁状枠体２０は、掛止部２２４を引掛け孔１６２の上部大穴内に挿通させ、重力によって突起部２２３を下向きに引掛け孔１６２の下部小穴の底縁部に当接させることで、前板１５上に掛止させることができる。使用者が取り外したい時、額縁状枠体２０を上向きに持ち上げて外方へ移動すると、掛止部２２４を引掛け孔１６２から抜け出して清浄機筐体１０から離脱できる。
【００１８】
図６は、本考案の更なる実施例に係るワンタッチ着脱部材の分解立体図である。図６に示すように、本実施例において清浄機筐体１０の前板１５に設けられた各ワンタッチ着脱部材１６も磁性部材１６３とすることができ、額縁状枠体２０の各ワンタッチ着脱部材２２がそれに対応して磁性体２２５とする。例を挙げると、磁性部材１６３及び磁性体２２５は、各々磁極の異なる磁石（例えばフェライト、アルニコ合金又は希土類磁石である）とすることができ、若しくは磁性部材１６３及び磁性体２２５のうちのいずれかが磁石で、もう１つが強磁性体（例えば、鉄、ニッケル又はコバルト等の金属部品）とし、磁性部材１６３と磁性体２２５が互いに吸引できるよう構成し、額縁状枠体２０は磁性部材１６３で磁性体２２５に吸着して前板１５上に固定されることができる。使用者が取り外したい時、加力して磁性部材１６３を清浄機筐体１０の磁性体２２５から離脱すると、直ちに外すことができ、着脱が簡単でかつ迅速の利点を実現できる。
【００１９】
図７に示すように、図７は図２の実施例の清浄機筐体１０を絵柄用板３０に構設する場合の分解立体図である。本実施例において、絵柄用板３０は、裏板３１と裏板３１上に設けられる絵柄３とを含み、例えば絵柄３が裏板３１の表面上に固定（接着、貼り付け又は挿嵌）されることができ、かつ前板１５上の各ワンタッチ着脱部材１６に対応するため、裏板３１に複数のワンタッチ着脱部材３２が設けられ、それらワンタッチ着脱部材３２は裏板３１の絵柄２に対向する表面に位置し、これを介して絵柄用板３０が清浄機筐体１０上に固定されるため、そのワンタッチ着脱部材３２で前板１５のワンタッチ着脱部材１６に対応して構設できる。
【００２０】
図８に示すように、図８は、図２の実施例の清浄機筐体を額縁状枠体に構設する場合の分解立体図である。本実施例において、外枠体５０は、開口部５１を含み、外枠体５０の開口部５１が額縁状枠体２０の中央貫通穴部２１より小さく、かつ前板１５上の各ワンタッチ着脱部材１６に対応するため、外枠体５０に複数のワンタッチ着脱部材５２が設けられる。これを介して清浄機筐体１０は、そのワンタッチ着脱部材１６により額縁状枠体２０のワンタッチ着脱部材２２又は外枠体５０のワンタッチ着脱部材５２を選択して構設することができる。更に例を挙げると、外枠体５０の開口部５１は、額縁状枠体２０の中央貫通穴部２１より小さいため、外枠体５０が小さなフレームサイズの絵柄４に適用できるため、使用者は異なる絵柄２、４の大きさによって額縁状枠体２０又は外枠体５０を選定できる。
【００２１】
上記を総合すると、図２に示すように、額縁式空気清浄機１の清浄機筐体１０のワンタッチ着脱部材１６は、同時に額縁状枠体２０のワンタッチ着脱部材２２、絵柄用板３０のワンタッチ着脱部材３２及び外枠体５０のワンタッチ着脱部材５２に対応でき、これを介して使用者は異なるニーズに応じて額縁状枠体２０、絵柄用板３０又は外枠体５０を清浄機筐体１０上に構設するよう選択できる。
【００２２】
一実施例において、額縁状枠体２０は、対向する２つの側枠２３を包括でき、２つの側枠２３の内縁部に各々溝２４が設けられ、額縁式空気清浄機１が仕切板４０を包括でき、かつ仕切板４０の縁枠が額縁状枠体２０の溝２４に嵌合されることができる。図９を参照すると、本考案の実施例２に係る額縁式空気清浄機の分解立体図である。ここで、仕切板４０は透明板とすることができ、額縁状枠体２０を前板１５に係止させた後、仕切板４０で絵柄２外部を覆うことで、空気中の塵埃汚染を防止でき、かつ使用者がやはり外部から絵柄２を鑑賞できる。幾つかの実施例において、額縁状枠体２０は対向する２つの縦向き側枠と対向する２つの横向き側枠とを含むことができ、上記２つの側枠２３が２つの縦向き側枠又は２つの横向き側枠とすることができ、仕切板４０が縦向き又は横向きに溝２４内に挿入されることができる。又は、一実施例において溝２４も額縁状枠体２０の内縁部に環囲できる。
【００２３】
図１０を参照すると、本考案の実施例３に係る額縁式空気清浄機の分解立体図である。本実施例において、仕切板４０’も不透明板とすることができ、使用者が絵柄２を仕切板４０’の表面に結合してから一緒に額縁状枠体２０の溝２４内に嵌合させることができ、絵柄２が額縁状枠体２０上に直接固定されることができる。
【００２４】
一実施例において、額縁状枠体２０は、取り外し可能な側枠２５を包括でき、取り外し可能な側枠２５が２つの側枠２３の端部間に連結される。図９及び図１０に示すように、本実施例において、額縁状枠体２０は４つの側枠（各々上下左右の側枠とする）を含み、４つの側枠のうちのいずれか側枠が取り外し可能な側枠２５（ここで上側枠である）とすることができ、仕切板４０、４０’が側面から額縁状枠体２０の溝２４に挿入され或いは引き出されて異なる仕切板４０、４０’に交換できる。
【００２５】
図１１及び図１２に示すように、一実施例において清浄機筐体１０内部にフィルタ１８及び送風機（図示せず）が設けられることができ、かつ外周板１３に吸込口１３１及び吹出口１３２が設けられており、これを介して送風機が外気を吸引して吸込口１３１を経由して清浄機筐体１０の内部に入ることで、フィルタ１８を通じて大気中の汚染物質（例えば浮遊粒子状物質、細菌及び汚れ）をろ過除去し、従って清浄気体を形成して吹出口１３２から吹き出すことで、環境空気を清浄して環境中の汚染物質の絵柄に対する損傷を軽減できる。
【００２６】
また、図１１に示すように、一実施例において、フィルタ１８を収容するため、清浄機筐体１０内部にフィルタ収容室１７が設けられることができ、フィルタ収容室１７に連通するため、外周板１３に挿通口１４が設けられることができ、これを介して使用者は外周板１３の挿通口１４からフィルタ１８を直接交換でき、額縁状枠体２０又は絵柄用板３０を取り外す必要がない。
【００２７】
図１２に示すように、本実施例と上記図１１の実施例と相違点は、挿通口１４が清浄機筐体１０の前板１５上に設けられることである。額縁式空気清浄機１が隅部に取り付けられた場合、清浄機筐体１０の側辺が阻害を受けた時、清浄機筐体１０の前側からフィルタ１８を交換できる。
【００２８】
一実施例において、図１３を参照すると、本考案の実施例４に係る額縁式空気清浄機の立体図であり、額縁式空気清浄機１は、少なくとも１つの取り外し可能な支持脚６０を包括でき、かつ取り外し可能な支持脚６０が清浄機筐体１０の一側に構設される。本実施例の額縁式空気清浄機１は、２つの取り外し可能な支持脚６０を包括し、かつ２つの取り外し可能な支持脚６０が清浄機筐体１０の底部に各々構設（例えば締付又は係合）されて額縁式空気清浄機１は壁面に掛けることを選択できる以外に、更に２つの取り外し可能な支持脚６０を通じて壁に寄せて床に置かれることも選択できる。また、本実施例において、額縁式空気清浄機１に掛ける絵柄５は、鏡であり、使用者に整容のために供される。
【００２９】
図１４を参照すると、本考案の実施例５に係る額縁式空気清浄機の分解立体図である。本実施例において、清浄機筐体１０のワンタッチ着脱部材１６は前板１５頂部に位置する上凸縁１６４であり、ここで、上凸縁１６４が外周板１３に突出され、上凸縁１６４と外周板１３とが階段状の表面を形成する。額縁状枠体２０のワンタッチ着脱部材２２は、少なくとも１つの掛止部材２２６（本実施例が２つの掛止部材２２６）であり、額縁状枠体２０が頂部枠２６を包括し、２つの掛止部材２２６が各々頂部枠２６の両端に設けられると共に上凸縁１６４に掛けることができる。掛止部材２２６は、以下の様々な実施態樣がある。
【００３０】
図１４及び図１５に示すように、一実施例において、各掛止部材２２６は、上壁２２７とフック部２２８とを含み、上壁２２７が額縁状枠体２０の頂部枠２６から延伸され、かつ頂部枠２６に対向する組立側２２７１を包括し、フック部２２８が組立側２２７１に位置する。幾つかの実施例において、フック部２２８は、硬質フック部、軟質フック部又は弾性フック部とすることができる。例を挙げると、フック部２２８は、金属片又はプラスチック片とすると共に組立側２２７１に組み立てられ（例えば締め付け接合、係止又は挿嵌）、或いは図１５に示すように、ここでフック部２２８は弾性片とすると共に組立側２２７１に組み立てられる。図１５に示すように、これを介して額縁状枠体２０は掛止部材２２６を清浄機筐体１０の上凸縁１６４に掛けることで迅速な組立の作用を実現でき、使用者が取り外したい時、額縁状枠体２０を上向きに持ち上げると共に外方へ移動すると、掛止部材２２６を上凸縁１６４から離脱させて迅速な取り外し作用を実現できる。
【００３１】
更に図１５に示すように、本実施例において、フック部２２８は、弾性片であり、かつフック部２２８の底端に更に折り返し部２２９を有し、額縁状枠体２０が清浄機筐体１０に掛ける過程中、フック部２２８が折り返し部２２９の案内を通じてよりスムーズに取り付けられることができる。また、清浄機筐体１０の上凸縁１６４に折り返し部２２９に対応して係止穴１６５が設けられ、掛止部材２２６が清浄機筐体１０の上凸縁１６４に掛ける時、フック部２２８の折り返し部２２９が係止穴１６５内に係合されて組立後より一層安定させることができる。
【００３２】
図１６を参照すると、本実施例と図１５の実施例との相違点は、掛止部材２２６Ａの上壁２２７及びフック部２２８が一体成形の構造とすることができることであり、例えば掛止部材２２６ＡがＬ字形板体である。掛止部材２２６Ａ及び額縁状枠体２０の頂部枠２６は、一体成形又は組立式構造とすることができる。
【００３３】
図１７を参照すると、本実施例と図１５の実施例と相違点は、掛止部材２２６Ｂが独立フック（例えば金属製フック又はプラスチック製フック）とすると共に額縁状枠体２０の頂部枠２６上に組み立てられることができる（例えば締め付け接合、係止又は挿嵌）。
【００３４】
幾つかの実施例において、上記各種掛止部材２２６、２２６Ａ、２２６Ｂも上記絵柄用板３０の頂部又は外枠体５０の頂部に設けられることができ、絵柄用板３０又は外枠体５０も清浄機筐体１０の上凸縁１６４に掛けさせることができる。
【００３５】
更に図１４に示すように、一実施例において、清浄機筐体１０の脇に少なくとも１つの表示灯１９（ここで、複数の表示灯１９）が設けられることができる、本実施例において、複数の表示灯１９は、前板１５の側辺に設けられるが、これに限定されない。複数の表示灯１９は、各々空気質状態、Ｗｉ−Ｆｉ接続状態、モータ運転状態、フィルタの汚れ状態等を示すために用いられることができる。額縁状枠体２０は、サイド枠２７を包括でき、かつサイド枠２７から側壁２７１を延伸し、側壁２７１に表示灯１９に対応する透光部２７２が設けられ、例えば透光部２７２が複数の透光孔であると共に各々複数の表示灯１９に対応し、額縁状枠体２０が清浄機筐体１０の前板１５に組み立てられた後、側壁２７１は前板１５の側辺を遮蔽して全体をより一層美観させることができ、複数の表示灯１９がやはり透光部２７２から光を出射して表示機能を実現する。
【産業上の利用可能性】
【００３６】
上記を総合すると、本考案の実施例の額縁式空気清浄機は、使用上において、清浄機筐体が壁面固定部材を通じて壁上に掛けることで、屋内空間を取り又は動線を支障することを避けることができ、またワンタッチ着脱部材を通じて額縁状枠体又は絵柄用板を構設して絵柄（例えば絵画、画像、写真、鏡又は手書きボード）を掛けることで、使用者の必要性によって異なる機能を自由に変更でき、かつ屋内環境の美観性に影響を及ぼさない等の利点を実現できる。また清浄機筐体と各々額縁状枠体及び絵柄用板との間に対応のワンタッチ着脱部材が設けられ、額縁式空気清浄機は簡単に異なる額縁状枠体又は絵柄用板を交換させることで、異なる絵柄又は外観スタイルを変換できる。
【００３７】
本考案の技術的内容は、好ましい実施例で上記通り開示され、そのような実施例により本考案の保護範囲が限定されるべきものではなく、当業者が本考案の精神から離れることなく種々の変更及び改変を為し得ることは、本考案の範囲に含めるものであるのが勿論である。よって本考案の保護範囲は、本明細書に添付する実用新案登録請求の範囲で定義しているものを基準とする。
【符号の説明】
【００３８】
１                  額縁式空気清浄機
２〜５              絵柄
１０                清浄機筐体
１１                後板
１２                壁面固定部材
１３                外周板
１３１              吸込口
１３２              吹出口
１４                挿通口
１５                前板
１６                ワンタッチ着脱部材
１６１              係合溝
１６２              引掛け孔
１６３              磁性部材
１６４              上凸縁
１６５              係止穴
１７                フィルタ収容室
１８                フィルタ
１９                表示灯
２０                額縁状枠体
２１                中央貫通穴部
２２                ワンタッチ着脱部材
２２１              凸起
２２２              球状頭部
２２３              突起部
２２４              掛止部
２２５              磁性体
２２６              フック
２２６Ａ、２２６Ｂ フック
２２７              上壁
２２７１            組立側
２２８              フック部
２２９              折り返し部
２３                側枠
２４                溝
２５                取り外し可能な側枠
２６                頂部枠
２７                サイド枠
２７１              側壁
２７２              透光部
３０                絵柄用板
３１                裏板
３２                ワンタッチ着脱部材
４０、４０’        仕切板
５０                額縁状枠体
５１                開口部
５２                ワンタッチ着脱部材
６０                取り外し可能な支持脚
【図１】
0003216856.tif 000003
【図２】
0003216856.tif 000004
【図３】
0003216856.tif 000005
【図４】
0003216856.tif 000006
【図５】
0003216856.tif 000007
【図６】
0003216856.tif 000008
【図７】
0003216856.tif 000009
【図８】
0003216856.tif 000010
【図９】
0003216856.tif 000011
【図１０】
0003216856.tif 000012
【図１１】
0003216856.tif 000013
【図１２】
0003216856.tif 000014
【図１３】
0003216856.tif 000015
【図１４】
0003216856.tif 000016
【図１５】
0003216856.tif 000017
【図１６】
0003216856.tif 000018
【図１７】
0003216856.tif 000019